(57)【要約】【課題】  あらゆる形状の浴槽フランジに適応可能で、汎用性に優れ、優れた形状追随性を確保し、薄肉の場合であっても底付き感等の不快感を与えることなく快適な使用感を提供し、風呂蓋使用時のわずらわしさを解消した浴槽用枕を提供する。【解決手段】  折り曲げ可能な支持部３と、前記支持部３に連結されたクッション部２と、前記支持部３の少なくとも一方の面に装着された吸盤４からなる浴槽用枕１において、前記クッション部２が軟質エラストマーシート製表皮１１に包囲された低反発ウレタンフォーム１２及びウレタンゲル１３からなる積層物であることを特徴とする浴槽用枕。【選択図】  図２
0003118192.tif 000002
【実用新案登録請求の範囲】
【請求項１】
折り曲げ可能な支持部と、前記支持部に連結されたクッション部と、前記支持部の少なくとも一方の面に装着された吸盤からなる浴槽用枕において、前記クッション部が軟質エラストマーシート製表皮に包囲された低反発ウレタンフォーム及びウレタンゲルからなる積層物であることを特徴とする浴槽用枕。
【請求項２】
前記支持部が補強材を含む請求項１記載の浴槽用枕。
【考案の詳細な説明】
【技術分野】
【０００１】
本考案は浴槽用枕に関し、詳しくは、汎用性のある浴槽用枕に関する。
【背景技術】
【０００２】
従来、入浴者に快適な入浴環境を提供する目的で、浴槽のフランジ部周辺に取り付けられて用いられる各種の浴槽用枕が提案されている。特許文献１には、吸盤等の固定部材を介して浴槽に着脱可能なビニール製の浴槽用枕が開示されている。
【０００３】
【特許文献１】特開２００３−２９００６０号公報
【考案の開示】
【考案が解決しようとする課題】
【０００４】
しかし、従来の浴槽用枕は、浴槽フランジ形状に沿わせて用いられる専用タイプのモールド品であったり、所定の支持部材を介して浴槽フランジに取り付けられたりする仕様であることが多いため、あらゆる浴槽フランジ形状に対応できないという問題があった。また、軟質ウレタンフォームがクッション材として用いられる場合には、形状追随性が悪く薄肉の場合には底付き感が発生する問題があった。さらに、風呂蓋使用時に浴槽用枕本体を浴槽フランジから取り外す必要があるという問題もあった。
【０００５】
本考案は、このような問題点を解決するためになされたものであり、あらゆる形状の浴槽フランジに適応可能で、汎用性に優れ、優れた形状追随性を確保し、薄肉の場合であっても底付き感等の不快感を与えることなく快適な使用感を提供し、風呂蓋使用時のわずらわしさを解消した浴槽用枕を提供することを目的とする。
【課題を解決するための手段】
【０００６】
すなわち本願請求項１記載の考案は、折り曲げ可能な支持部と、前記支持部に連結されたクッション部と、前記支持部の少なくとも一方の面に装着された吸盤からなる浴槽用枕において、前記クッション部が軟質エラストマーシート製表皮に包囲された低反発ウレタンフォーム及びウレタンゲルからなる積層物であることを特徴とする浴槽用枕である。
【０００７】
本願請求項２記載の考案は、前記支持部が補強材を含む請求項１記載の浴槽用枕である。
【考案の効果】
【０００８】
本願請求項記載の考案によれば、あらゆる浴槽フランジ形状に対応できる汎用性を有し、薄肉であっても底付き感が発生せず、風呂蓋使用時のわずらわしさを解消した浴槽用枕を提供することができる。
【考案を実施するための最良の形態】
【０００９】
以下、本考案の浴槽用枕について詳細に説明する。
図１は本考案の浴槽用枕の斜視図、図２は断面図を示す。浴槽用枕１は、支持部３、支持部３に連結されたクッション部２、支持部３の一方の面に装着された吸盤４からなる。クッション部２は、軟質エラストマーシート製表皮１１に包囲された低反発ウレタンフォーム１２及びウレタンゲル１３からなる積層物である。
【００１０】
軟質エラストマーシート製表皮１１は、ポリウレタン系、ポリスチレン系、ポリオレフィン系等の熱可塑性樹脂エラストマーシートからなり、端末部を高周波溶着することによって袋体として形成される。
【００１１】
ウレタンゲル１３は、クッション部２の浴槽側に設けられる厚さ５ｍｍ程度の層である。ウレタンゲル１３を設けることにより、クッション部２にあらゆる浴槽形状に適応可能な形状追随性を付与することができる。
【００１２】
低反発ウレタンフォーム１２は、軟質エラストマーシート製表皮１１を介して使用者の頭部及び首部を保持するものであって、適度な凹部が形成されることが望ましい。低反発ウレタンフォーム１２は、ウレタンゲル１３と共に使用することにより、薄肉であっても良好な触感を維持しつつ、使用者の頭部及び首部を保持することができる。
【００１３】
支持部３は、低反発ウレタンフォーム１２及びウレタンゲル１３を含まず、軟質エラストマーシート製表皮１１のみからなる部分であって、そのいずれか一方の面に吸盤４が装着される。吸盤４を浴槽フランジに吸着させることによって、クッション部２が支持部３を介して支持される。支持部３は、浴槽用枕１の使用態様に応じて折り曲げ可能であって、折り曲げて使用するかどうかに対応して支持部３における吸盤４の装着面が決定される。図３（ａ）に本考案の浴槽用枕使用時の概略を示す断面図、及び図３（ｂ）に風呂蓋使用時の概略を示す断面図を示す。図３（ａ）に示すように、吸盤４が浴槽フランジ２１に吸着され、支持部３に支持されたクッション部２が浴槽内壁面に沿って設置される。また、風呂蓋３１の使用時には、クッション部２を持ち上げ、風呂蓋３１を設置し、設置された風呂蓋３１上にクッション部２を載せることによって、図３（ｂ）に示すように、クッション部２を取り外すことなく風呂蓋３１を使用することができる。なお、支持部３には、ナイロン製メッシュクロス等からなる補強材を埋設してもよい。
【００１４】
本考案の浴槽用枕の製造方法は特に限定されるものではないが、一例として以下の製造方法によって製造される。
【００１５】
（１）下型に軟質エラストマーシート製表皮を形成する軟質エラストマーシートを設置し、上型に離型用フィルムを設置した金型にウレタンゲルを注入し、キュア後取り出す。
【００１６】
（２）下型に軟質エラストマーシート製表皮を形成する軟質エラストマーシートを設置し、上型に離型用フィルムを設置した金型に低反発ウレタンフォームを形成するウレタン発泡体を注入し、キュア後取り出す。
【００１７】
（３）下型に上記（１）で得られた成形体を設置し、必要であれば、支持部となる部分に補強材を設置し、上型に上記（２）で得られた成形体を設置して金型をセットする。外周部を高周波溶着し、バリを除去して取り出す。
【００１８】
なお、軟質エラストマーシートとウレタンゲル、及び軟質エラストマーシートとウレタン発泡体は、それぞれ自己接着によって接着され、ウレタンゲルとウレタン発泡体は、接着剤あるいは接着フィルムを介して接着される。
【図面の簡単な説明】
【００１９】
【図１】本考案の一実施例の浴槽用枕の斜視図である。
【図２】本考案の一実施例の浴槽用枕の断面図である。
【図３】（ａ）本考案の一実施例の浴槽用枕の使用時の概略を示す断面図である。（ｂ）風呂蓋使用時の概略を示す断面図である。
【符号の説明】
【００２０】
１  浴槽用枕
２  クッション部
３  支持部
４  吸盤
１１  軟質エラストマーシート製表皮
１２  低反発ウレタンフォーム
１３  ウレタンゲル
２１  浴槽フランジ
３１  風呂蓋
【図１】
0003118192.tif 000003
【図２】
0003118192.tif 000004
【図３】
0003118192.tif 000005